(57)【要約】【課題】基板ケースが不正に取り外されるのを防止したスロットマシンを提供する。【解決手段】本発明に係るスロットマシンでは、基板ケース５１の内部にメイン制御基板５４が収容されてメイン基板アセンブリ１５が構成され、当該メイン基板アセンブリ１５は、開閉扉を開いた状態で、ブラケット５５に対しキャビネットボックス１の前方から後方へ向かう方向に装着されるように構成されており、ブラケット５５に装着されたメイン基板アセンブリ１５の前方への移動を規制する移動規制部材６３，６４を有し、この移動規制部材６３，６４は、キャビネットボックス１に形成された挿通口６６，６７にキャビネットボックス１の外方から挿通されることでキャビネットボックス１に取り付けられ、挿通口６６，６７に挿通された移動規制部材６３，６４の先端側がブラケット５５に装着されたメイン基板アセンブリ１５の前方に隣接するように構成される。【選択図】図２
2009072414.tif 000002
【特許請求の範囲】
【請求項１】
一方に開口を有する箱状に形成された本体部材と、前記本体部材に対して前記開口を開閉可能に取り付けられた開閉部材と、前記本体部材の内側において前記開口と反対側に位置する背面部に固定されたブラケット部材と、前記ブラケット部材に着脱自在に装着される基板ケースとを備えた箱形遊技機において、
前記基板ケースの内部に前記箱形遊技機に搭載された電子部品を制御する制御基板が収容され、前記基板ケースは、前記開閉部材を開いた状態で、前記ブラケット部材に対し前記一方から前記反対側の他方へ向かう方向に装着されるように構成されており、
前記ブラケット部材に装着された前記基板ケースの前記一方への移動を規制する移動規制部材を有し、
前記移動規制部材は、前記本体部材に形成された挿通口に前記本体部材の外方から挿通されることで前記本体部材に取り付けられ、前記挿通口に挿通された前記移動規制部材が前記ブラケット部材に装着された前記基板ケースの前記一方の側に隣接するように構成されることを特徴とする箱形遊技機。
【請求項２】
前記ブラケット部材に装着された前記基板ケースと前記移動規制部材の先端側とを結合する結合手段を有することを特徴とする請求項１に記載の箱形遊技機。
【請求項３】
遊技施設における遊技島に前記箱形遊技機が設置されたとき、前記箱形遊技機が設置される空間部分を構成する枠部材に前記挿通口が近接していることを特徴とする請求項１もしくは請求項２に記載の箱形遊技機。
【発明の詳細な説明】
【技術分野】
【０００１】
本発明は、スロットマシンや雀球遊技機等に代表される箱形遊技機に関する。
【背景技術】
【０００２】
スロットマシンや雀球遊技機等の箱形遊技機では、遊技機の作動を制御する制御基板が設けられている。例えばスロットマシンでは、キャビネットボックスとも称される箱形の本体部材の内側に制御基板が取り付けられている。この制御基板はメダルの払出制御やリールの回転制御等といったスロットマシンの作動を制御する基板であり、遊技機の制御ソフトウェアが記録されたＲＯＭが搭載されて遊技機の作動を制御する中枢制御装置としての役割を有している。このため、制御基板は偽造ＲＯＭへの差し替え等の不正改造を受け難いように基板ケース内に収容されるとともに、この基板ケースはケースを開いたときにその痕跡が残るような不正開放防止手段が設けられて構成されている。
【０００３】
このような基板ケースは、本体部材の内側（背面側）に固定されたブラケット部材に着脱可能に装着されるが、このとき、ブラケット部材から基板ケースを取り外したときにその痕跡が残るような不正着脱防止手段を用いて、基板ケースをブラケット部材に装着保持するようになっている（例えば、特許文献１を参照）。
【特許文献１】特開２００４−２０９２３８号公報
【発明の開示】
【発明が解決しようとする課題】
【０００４】
しかしながら、上述のような不正着脱防止手段を用いても、不正着脱防止手段が破壊されてしまえば、結局は基板ケースがブラケット部材から不正に取り外されてしまう。そのため、不正着脱防止手段が破壊されたとしても、基板ケースを取り外し難くするための方策が求められていた。
【０００５】
本発明は、このような問題に鑑みてなされたものであり、基板ケースが不正に取り外されるのを防止した箱形遊技機を提供することを目的とする。
【課題を解決するための手段】
【０００６】
このような目的を達成するため、本発明では、一方に開口を有する箱状に形成された本体部材（例えば、実施形態におけるキャビネットボックス１）と、前記本体部材に対して前記開口を開閉可能に取り付けられた開閉部材（例えば、実施形態における前面扉２）と、前記本体部材の内側において前記開口と反対側に位置する背面部に固定されたブラケット部材と、前記ブラケット部材に着脱自在に装着される基板ケースとを備えた箱形遊技機（例えば、実施形態におけるスロットマシンＳＭ）において、前記基板ケースの内部に前記箱形遊技機に搭載された電子部品を制御する制御基板が収容され、前記基板ケースは、前記開閉部材を開いた状態で、前記ブラケット部材に対し前記一方から前記反対側の他方へ向かう方向に装着されるように構成されており、前記ブラケット部材に装着された前記基板ケースの前記一方への移動を規制する移動規制部材を有し、前記移動規制部材は、前記本体部材に形成された挿通口に前記本体部材の外方から挿通されることで前記本体部材に取り付けられ、前記挿通口に挿通された前記移動規制部材が前記ブラケット部材に装着された前記基板ケースの前記一方の側に隣接するように構成される。
【０００７】
なお、上述の発明において、前記ブラケット部材に装着された前記基板ケースと前記移動規制部材の先端側とを結合する結合手段（例えば、実施形態における結合部材７０）を有することが好ましい。
【０００８】
また、上述の発明において、遊技施設における遊技島に前記箱形遊技機が設置されたとき、前記箱形遊技機が設置される空間部分を構成する枠部材（例えば、実施形態における島上板１０２）に前記挿通口が近接していることが好ましい。
【発明の効果】
【０００９】
本発明によれば、基板ケースの移動を規制する移動規制部材が、本体部材に形成された挿通口に外方から挿通されて取り付けられているため、本体部材の内側からブラケット部材に装着された基板ケースを取り外そうとしても、本体部材の外方から移動規制部材を抜き出す必要があることから、基板ケースを不正に取り外すのが難くなって、基板ケースが不正に取り外されるのを防止することが可能になる。
【００１０】
また、ブラケット部材に装着された基板ケースと移動規制部材の先端側とを結合する結合手段を有することで、結合手段により基板ケースが移動し難くなるため、基板ケースを不正に取り外すのがより難くなって、基板ケースが不正に取り外されるのをより確実に防止することができる。
【００１１】
また、遊技施設における遊技島に箱形遊技機が設置されたとき、箱形遊技機が設置される空間部分を構成する枠部材に挿通口が近接していることが好ましく、これにより、遊技島に箱形遊技機が設置されているときには、外方から移動規制部材を抜き出すことが不可能になるため、基板ケースを不正に取り外すのがより難くなって、基板ケースが不正に取り外されるのをより確実に防止することができる。
【発明を実施するための最良の形態】
【００１２】
以下、本発明の好ましい実施形態について図面を参照しながら説明する。本発明に係る箱形遊技機の代表例としてスロットマシンＳＭを図１に示しており、まず、これらの図面を参照しながらスロットマシンＳＭの全体構成について要約説明する。ここで、図１（ａ）はスロットマシンＳＭの正面図、図１（ｂ）は前面扉２を取り外した状態のスロットマシンＳＭの正面図である。
【００１３】
スロットマシンＳＭは、前面側（前方）に開口を有する箱状のキャビネットボックス１と、キャビネットボックス１の開口を覆って開閉可能に取り付けられた前面扉２とからなる筐体３を有し、この筐体３の各部に種々の遊技構成機構を配設して構成される。前面扉２は、キャビネットボックス１および前面扉２の互いの左側縁に配設された上下のヒンジ機構（図示せず）により横開き開閉可能に取り付けられ、常には右側縁に設けられた施錠装置４を利用してキャビネットボックス１に閉鎖施錠された状態で保持される。
【００１４】
キャビネットボックス１の内部には、第１〜第３リール１１ａ〜１１ｃを有して構成される回転リール装置１１、遊技メダル払出装置１２、電源装置１３、遊技メダル補助収納庫１４、およびメイン基板アセンブリ１５等が図示のように配設されている。一方、前面扉２には、図柄表示を行うための表示窓２１、スタートレバー２２、停止ボタン２３、メダル投入口２４、メダル払出口２５、およびメダル払出口２５から払い出されるメダルを受容する受け皿２６等が図示にように設けられている。なお前述のように、キャビネットボックス１に前面扉２がヒンジ接続されており、キャビネットボックス１から前面扉２に延びる電気配線が設けられているが、図１ではこの配線を省略している。
【００１５】
キャビネットボックス１は、上側に位置する天板１６、左右の側板１７ａ，１７ｂ、下側に位置する底板１８、開口と反対側に位置する背面板１９等の壁面部材を箱状に組み立てて構成されており、例えば、パーチクルボードの定尺板材を、切断、孔あけ、溝切り加工等して所定形状に成形し、これにメタルブッシュ（鬼目ナット）の打ち込み等を行って壁面部材を形成した後、各部材１６〜１９を接着剤やネジ等の接合手段により接合して、前面側に開口を有する箱状に組み立てて構成される。
【００１６】
メイン基板アセンブリ１５は、図２に示すように、ケース本体部材５２および、当該ケース本体部材５２に開閉自在に取り付けられたケース蓋部材５３からなる基板ケース５１と、この基板ケース５１の内部に収容されたメイン制御基板５４とを有して構成され、不正開放防止機構６１を用いて基板ケース５１が閉止保持されるようになっている。ここで、メイン制御基板５４は、ＲＯＭ（図示せず）等の電子部品やプリント基板等から構成され、遊技メダル払出装置１２のメダル払出制御や、回転リール装置１１の回転制御等を行う。また、ケース蓋部材５３の前面側左右には、後述の結合部材７０と嵌合する嵌合孔部７６，７７が形成される。そして、メイン基板アセンブリ１５は、キャビネットボックス１の背面板１９に取り付け固定されたブラケット５５に着脱自在に装着され、このとき、不正着脱防止機構６２を用いてブラケット５５に対し装着保持されるようになっている。
【００１７】
ブラケット５５は、左右一対の第１および第２ブラケット部材５６，５７から構成され、ネジ等の固定手段を用いてキャビネットボックス１の背面板１９に取り付け固定される。左側に位置する第１ブラケット部材５６は、略Ｌ字状に形成された平板部の左側縁部および下縁部に沿って、リブが前方に起立して形成された構成であり、メイン基板アセンブリ１５の左側を保持するようになっている。右側に位置する第２ブラケット部材５７は、逆Ｌ字状に形成された平板部の右側縁部および下縁部に沿って、リブが前方に起立して形成された構成であり、メイン基板アセンブリ１５の右側を保持するようになっている。また、第２ブラケット部材５７とメイン基板アセンブリ１５の右側部分とに跨って、不正着脱防止機構６２が設けられる。なお、第１および第２ブラケット部材５６，５７を一体に形成するようにしてもよい。
【００１８】
前述したように、メイン基板アセンブリ１５は、不正着脱防止機構６２を用いてブラケット５５に対し装着保持されるようになっているが、さらに、図２および図３に示すように、左右の移動規制部材６３，６４を用いて、ブラケット５５に装着されたメイン基板アセンブリ１５の前方への移動を規制するようになっている。左側移動規制部材６３は、図４に示すように、ステンレス等の金属板材を用いて上下に延びる細長い板状に形成され、上部は前方に折り曲げられて折り曲げ部６３ａが形成されるとともに、下部には後述の結合部材７０が挿通される結合孔６３ｂが形成される。右側移動規制部材６４も左側移動規制部材６３と同じ形状に形成され、上部に折り曲げ部６４ａが形成されるとともに、下部には結合孔６４ｂが形成される。
【００１９】
ところで、キャビネットボックス１の天板１６には、図２に示すように、移動規制部材６３，６４とほぼ同じ大きさを有する挿通口６６，６７が左右に形成されており、左右の移動規制部材６３，６４をそれぞれキャビネットボックス１の外方（上方）から内方（下方）に向けて左右の挿通口６６，６７に挿通させることで、左右の移動規制部材６３，６４はそれぞれ、各折り曲げ部６３ａ，６４ａが天板１６に当接した状態でキャビネットボックス１に取り付けられる。このとき、左側挿通口６６に挿通された左側移動規制部材６３の先端側（下側）がブラケット５５に装着されたメイン基板アセンブリ１５の左側前方に隣接するとともに、右側挿通口６７に挿通された右側移動規制部材６４の先端側（下側）がメイン基板アセンブリ１５の右側前方に隣接するようになっている。
【００２０】
また、左右の挿通口６６，６７の上端部に繋がって、各移動規制部材６３，６４の折り曲げ部６３ａ，６４ａを受容可能な段差が形成されており、各移動規制部材６３，６４がキャビネットボックス１に取り付けられた状態で、各折り曲げ部６３ａ，６４ａが天板１６より上方へ突出しないようになっている。これにより、スロットマシンＳＭを従来の遊技島に設置することが可能になる。
【００２１】
また、左右の挿通口６６，６７に挿通された移動規制部材６３，６４の先端側（下側）は、結合部材７０を用いてメイン基板アセンブリ１５と結合されるようになっている。この結合部材７０は、図５に示すように、各移動規制部材６３，６４の結合孔６３ｂ，６４ｂに挿通されるとともにケース蓋部材５３の各嵌合孔部７６，７７に嵌合挿入される外径を有した円筒部７１と、円筒部７１の一端にその外径より大きな径を有して形成された円盤状のフランジ部７２とを有して樹脂材料等から一体に形成される。円筒部７１の外周面には、互いに１８０度離れた２箇所に平面部が形成されるとともに、当該平面部から９０度だけ回転した２箇所に外周面よりも外方に突出する係合突起７３，７３が形成されている。なお、この係合突起７３，７３は円筒部７１と一体に繋がって形成されている。さらに、フランジ部７２の中央には、円筒部７１の断面形状に合わせて薄肉部７４が形成されており、この薄肉部７４は工具の先端等で押圧して比較的容易に破ることができるようになっている。なお、薄肉部７４の中心に開口部が形成されている。
【００２２】
以上のように構成されたスロットマシンＳＭにおいて、メイン基板アセンブリ１５をブラケット５５に装着させるには、前面扉２を開いた状態で、メイン基板アセンブリ１５を開放状態にあるキャビネットボックス１の前方から（反対側の）後方へ向けて移動させてキャビネットボックス１内のブラケット５５に装着させる。このとき、不正着脱防止機構６２を用いてメイン基板アセンブリ１５をブラケット５５に対し装着保持させる。
【００２３】
次に、図２に示すように、左右の移動規制部材６３，６４をそれぞれキャビネットボックス１の外方（上方）から下方に向けて左右の挿通口６６，６７に挿通させることで、左右の移動規制部材６３，６４をそれぞれキャビネットボックス１に取り付ける。このとき、前述のように、左側挿通口６６に挿通された左側移動規制部材６３の先端側（下側）がブラケット５５に装着されたメイン基板アセンブリ１５の左側前方に隣接するとともに、右側挿通口６７に挿通された右側移動規制部材６４の先端側（下側）がメイン基板アセンブリ１５の右側前方に隣接する。またこのとき、各移動規制部材６３，６４の結合孔６３ｂ，６４ｂはそれぞれ、メイン基板アセンブリ１５（ケース蓋部材５３）の左右の嵌合孔部７６，７７と位置整合して重なるようになっている。
【００２４】
次に、２つの結合部材７０のうち一方を左側移動規制部材６３の結合孔６３ｂに挿通させてケース蓋部材５３の左側嵌合孔部７６に嵌合挿入させる。また、結合部材７０の他方を右側移動規制部材６４の結合孔６４ｂに挿通させてケース蓋部材５３の左側嵌合孔部７７に嵌合挿入させる。このとき、結合部材７０の係合突起７３，７３は、嵌合孔部７６，７７に押圧されて円筒部７１の内側に向け弾性変形する。そのため、結合部材７０を各嵌合孔部７６，７７に挿入するために大きな押し込み力を必要とするが、一旦押し込んだ後は、結合部材７０を取り外すのが困難となり、左右の挿通口６６，６７に挿通された移動規制部材６３，６４の先端側（下側）を、図３に示すように結合部材７０を用いてより確実にメイン基板アセンブリ１５と結合させることが可能になる。なお、保守点検のときには、結合部材７０の薄肉部７４を突き破って工具が差し込まれ、結合部材７０が各嵌合孔部７６，７７から引き抜かれる。
【００２５】
このようにしてメイン基板アセンブリ１５がブラケット５５に装着されたスロットマシンＳＭは、他の必要な遊技構成機構を取り付けることにより完成され、所定の動作確認が行われた後に出荷される。また、出荷されたスロットマシンＳＭは、遊技施設に搬入されて遊技島に設置される。
【００２６】
なお遊技島１００は、例えば図６に示すように、左右に水平に延びて配設され複数台のスロットマシンＳＭを支持可能なテーブル状の島棚板１０１と、この島棚板１０１の上方にスロットマシンＳＭの高さ寸法に合わせて島棚板１０１と平行に延びる島上板１０２と、島棚板１０１の下部に左右に延びて張り渡された幕板１０３とを主体に構成され、島棚板と島上板とを繋ぐ枠板（図示せず）によってスロットマシンの外周を取りまく枠状に形成される。隣接するスロットマシンＳＭの間および上部には化粧面板が張られて島上板１０２と枠板とが目隠しされるとともに、隣接するスロットマシン間にはメダル貸し機１０４が配置され、スロットマシンＳＭの上方にはフィーバーランプと称される報知ランプ１０５が設けられている。
【００２７】
本実施形態のスロットマシンＳＭによれば、メイン基板アセンブリ１５（基板ケース５１）の移動を規制する移動規制部材６３，６４が、キャビネットボックス１に形成された挿通口６６，６７に外方から挿通されて取り付けられているため、キャビネットボックス１の内側からブラケット５５に装着されたメイン基板アセンブリ１５を取り外そうとしても、キャビネットボックス１の外方から移動規制部材６３，６４を抜き出す必要があることから、メイン基板アセンブリ１５を不正に取り外すのが難くなって、メイン基板アセンブリ１５が不正に取り外されるのを防止することが可能になる。なお、移動規制部材６３，６４は、不正に破壊されるのを防止するため、金属を用いて形成されることが好ましい。
【００２８】
特に、遊技島１００にスロットマシンＳＭが設置されたとき、スロットマシンＳＭが設置される空間部分を構成する島上板１０２に、スロットマシンＳＭの天板１６に形成された挿通口６６，６７が近接するようになっており、遊技島１００にスロットマシンＳＭが設置されているときには、外方から移動規制部材６３，６４を抜き出すことが不可能になるため、メイン基板アセンブリ１５（基板ケース５１）を不正に取り外すのがより難くなって、メイン基板アセンブリ１５が不正に取り外されるのをより確実に防止することができる。
【００２９】
また、ブラケット５５に装着されたメイン基板アセンブリ１５（基板ケース５１）と移動規制部材６３，６４の先端側とを結合する結合部材７０を用いることで、結合部材７０によりメイン基板アセンブリ１５が移動し難くなるため、メイン基板アセンブリ１５を不正に取り外すのがより難くなって、メイン基板アセンブリ１５が不正に取り外されるのをより確実に防止することができる。
【００３０】
なお、上述の実施形態において、キャビネットボックス内に基板ケース（メイン基板アセンブリ）が取り付けられたスロットマシンを例にして説明したが、これに限られるものではなく、例えば雀球遊技機等といった箱形遊技機にも本発明を適用することが可能である。
【００３１】
また、上述の実施形態において、左右の移動規制部材６３，６４をそれぞれキャビネットボックス１の外方（上方）から下方に向けて、すなわちメイン基板アセンブリ１５の装着方向と垂直な方向に向けて左右の挿通口６６，６７に挿通させることで、左右の移動規制部材６３，６４をそれぞれキャビネットボックス１に取り付けるように構成されているが、これに限られるものではなく、例えば、メイン基板アセンブリ１５の装着方向に対し斜め方向に移動規制部材を挿通させるような構成であってもよい。
【図面の簡単な説明】
【００３２】
【図１】本発明に係るスロットマシン（箱形遊技機）の外観正面図および内部正面図である。
【図２】キャビネットボックスの挿通口に移動規制部材を挿通させる状態を示す斜視図である。
【図３】スロットマシンにおけるメイン基板アセンブリの近傍を示す斜視図である。
【図４】移動規制部材の斜視図である。
【図５】結合部材の斜視図である。
【図６】遊技島に設置された状態のスロットマシンの正面図である。
【符号の説明】
【００３３】
ＳＭ  スロットマシン（箱形遊技機）
１  キャビネットボックス（本体部材）
２  前面扉（開閉部材）
１５  メイン基板アセンブリ
１６  天板
１９  背面板
５１  基板ケース
５２  ケース本体部材
５３  ケース蓋部材
５４  メイン制御基板
５５  ブラケット
５６  第１ブラケット部材
５７  第２ブラケット部材
６３  左側移動規制部材
６４  右側移動規制部材
６６  左側挿通口
６７  右側挿通口
７０  結合部材
１００  遊技島
１０２  島上板（枠部材）
【図１】
2009072414.tif 000003
【図２】
2009072414.tif 000004
【図３】
2009072414.tif 000005
【図４】
2009072414.tif 000006
【図５】
2009072414.tif 000007
【図６】
2009072414.tif 000008